(57)【要約】【課題】各受信機が全チャンネルのＳＩ情報を効率的に取得できるＩＰ再送信装置を提供する。【解決手段】ＩＰ再送信装置は、アンテナから受信した複数チャンネルのデジタル放送信号を、ＩＰマルチキャスト網を介して複数の受信機へ再送信するＩＰ再送信システムにおいて用いられるＩＰ再送信装置であって、デジタル放送信号からＳＩ情報を取り出して、ヘッダ情報の一部にＳＩ識別値が付与されたパケットにＳＩ情報を格納し、該パケットを放送ストリームとともに、或いは放送ストリームとは別にＩＰマルチキャスト網へ送出する。【選択図】図１
2020010199.tif 000002
【特許請求の範囲】
【請求項１】
アンテナから受信した複数チャンネルのデジタル放送信号を、ＩＰマルチキャスト網を介して複数の受信機へ再送信するＩＰ再送信システムにおいて用いられるＩＰ再送信装置であって、
前記デジタル放送信号からＳＩ情報を取り出して、ヘッダ情報の一部にＳＩ識別値が付与されたパケットに前記ＳＩ情報を格納し、該パケットを放送ストリームとともに、或いは放送ストリームとは別に前記ＩＰマルチキャスト網へ送出する、ＩＰ再送信装置。
【請求項２】
アンテナから受信した複数チャンネルのデジタル放送信号を、ＩＰマルチキャスト網を介して複数の受信機へ再送信するＩＰ再送信システムにおいて用いられるＳＩサーバであって、
前記デジタル放送信号から取り出されたＳＩ情報を格納するとともにヘッダ情報の一部にＳＩ識別値が付与された複数チャンネルのパケットを単一マルチキャスト化して前記ＩＰマルチキャスト網へ送出する、ＳＩサーバ。
【請求項３】
アンテナから受信した複数チャンネルのデジタル放送信号を、ＩＰマルチキャスト網を介して複数の受信機へ再送信するＩＰ再送信装置とともに用いられるエッジルータであって、
前記デジタル放送信号から取り出されたＳＩ情報を格納するとともにヘッダ情報の一部にＳＩ識別値が付与されたパケットを前記ＩＰマルチキャスト網を介して受け取り、各受信機から要求されたチャンネルの前記パケットを各受信機へ送信する、エッジルータ。
【請求項４】
アンテナから受信した複数チャンネルのデジタル放送信号を、ＩＰマルチキャスト網を介して複数の受信機へ再送信するＩＰ再送信装置とともに用いられるエッジルータであって、
前記デジタル放送信号から取り出されたＳＩ情報を格納するとともにヘッダ情報の一部にＳＩ識別値が付与された複数チャンネルのパケットを単一マルチキャスト化してなる集約ＳＩ情報を前記ＩＰマルチキャスト網を介して受け取り、各受信機からの要求に応じて前記集約ＳＩ情報を各受信機へ送信する、エッジルータ。
【請求項５】
アンテナから受信した複数チャンネルのデジタル放送信号を、ＩＰマルチキャスト網を介して複数の受信機へ再送信するＩＰ再送信システムにおいて用いられる受信機であって、
前記デジタル放送信号から取り出されたＳＩ情報を格納するとともにヘッダ情報の一部にＳＩ識別値が付与されたパケットを前記ＩＰマルチキャスト網を介して受け取り、前記ＳＩ識別値に基づいて前記パケットを放送ストリームから抽出する、受信機。
【請求項６】
アンテナから受信した複数チャンネルのデジタル放送信号を、ＩＰマルチキャスト網を介して複数の受信機へ再送信するＩＰ再送信システムにおいて用いられる受信機であって、
前記デジタル放送信号から取り出されたＳＩ情報を格納するとともにヘッダ情報の一部にＳＩ識別値が付与された複数チャンネルのパケットを単一マルチキャスト化してなる集約ＳＩ情報を前記ＩＰマルチキャスト網を介して受け取る、受信機。
【請求項７】
アンテナから受信した複数チャンネルのデジタル放送信号を、ＩＰマルチキャスト網を介して複数の受信機へ再送信するＩＰ再送信方法であって、
前記デジタル放送信号からＳＩ情報を取り出して、ヘッダ情報の一部にＳＩ識別値が付与されたパケットに前記ＳＩ情報を格納し、該パケットを放送ストリームとともに、或いは放送ストリームとは別に前記ＩＰマルチキャスト網へ送出する、ＩＰ再送信方法。
【請求項８】
アンテナから受信した複数チャンネルのデジタル放送信号を、ＩＰマルチキャスト網を介して複数の受信機へ再送信するＩＰ再送信システムにおいて用いられる送信設備であって、
前記アンテナと、
前記アンテナから複数チャンネルのデジタル放送信号を受信してＴＬＶパケットを作成する受信装置と、
前記ＴＬＶパケットからＳＩ情報を取り出して、ヘッダ情報の一部にＳＩ識別値が付与されたパケットに前記ＳＩ情報を格納し、該パケットを放送ストリームとともに、或いは放送ストリームとは別に前記ＩＰマルチキャスト網へ送出するＩＰ再送信装置と、
を備える、送信設備。
【請求項９】
アンテナから受信した複数チャンネルのデジタル放送信号を、ＩＰマルチキャスト網を介して複数の受信機へ再送信するＩＰ再送信システムにおいて用いられる送信設備であって、
前記アンテナと、
前記アンテナから複数チャンネルのデジタル放送信号を受信してＴＬＶパケットを作成する受信装置と、
前記ＴＬＶパケットからＳＩ情報を取り出して、ヘッダ情報の一部にＳＩ識別値が付与されたパケットに前記ＳＩ情報を格納するＩＰ再送信装置と、
複数チャンネルの前記パケットを単一マルチキャスト化して前記ＩＰマルチキャスト網へ送出するＳＩサーバと、
を備える、送信設備。
【発明の詳細な説明】
【技術分野】
【０００１】
本発明は、ＩＰ再送信装置、ＳＩサーバ、エッジルータ、受信機、ＩＰ再送信方法、および送信設備に関する。
【背景技術】
【０００２】
従来、ＭＭＴＰ（MPEG Media Transport Protocol）パケットを用いてコンテンツを伝送する技術が開発されている。たとえば、非特許文献１には、ＭＭＴ方式を用いる放送システムが開示されている。この放送システムでは、音声情報および映像情報等の番組の情報を含むＭＭＴパケットは、ＩＰ（Internet Protocol）パケットのペイロードに格納される。ＩＰパケットは、ＴＬＶ（Type Length Value）パケットのペイロードに格納される。
【０００３】
また、放送事業者が運営する放送設備から送出されたデジタル放送信号を、ＩＰ再送信サービス事業者が運営する送信設備及びＩＰマルチキャスト網を介して加入者の受信機まで伝送する、いわゆるＩＰ再送信サービスが普及し始めている。非特許文献２には、ＢＳデジタル放送のＩＰ再送信サービスに関する運用規定が開示されている。
【先行技術文献】
【非特許文献】
【０００４】
【非特許文献１】ＡＲＩＢ  ＳＴＤ−Ｂ３２  ３．４版、“デジタル放送における映像符号化、音声符号化及び多重化方式”、一般社団法人  電波産業会、２０１５年９月３０日
【非特許文献２】ＩＰＴＶＦＪ  ＳＴＤ−０００９  １．３版、“ＢＳデジタル放送ＩＰ再送信運用規定”、一般社団法人  ＩＰＴＶフォーラム、２０１７年９月１３日
【発明の概要】
【発明が解決しようとする課題】
【０００５】
放送設備から送出されるデジタル放送信号には、映像情報や音声情報に加えて、例えば電子番組ガイド（Electronic Program Guide；ＥＰＧ）などのＳＩ（Service Information）情報が含まれている。ＳＩ情報は複数チャンネル毎にデジタル放送信号に含まれているが、受信機において全チャンネルのＳＩ情報を取得するためには、各チャンネルのデジタル放送信号を逐次取得し、それらのデジタル放送信号の中からＳＩ情報を抽出する必要がある。近年の放送チャンネルの増加に伴い、ＳＩ情報の取得に時間を要することが問題となる。特に、ＩＰ再送信サービスにおいては、エッジルータが、ＩＰマルチキャスト網から得られる全チャンネルのデジタル放送信号の中から受信機の要求に応じて特定のデジタル放送信号を送出する。各受信機が全チャンネルのＳＩ情報を取得しようとすると、全チャンネルのデジタル放送信号からＳＩ情報を取り出さなければならない。通常、デジタル放送信号とＳＩ情報とは同じストリームで送られてくるため、各受信機の処理負担が増大するという問題がある。
【０００６】
本発明は、このような問題点に鑑みてなされたものであり、各受信機が複数チャンネルのＳＩ情報を効率的に取得できるＩＰ再送信装置、ＳＩサーバ、エッジルータ、受信機、ＩＰ再送信方法、および送信設備を提供することを目的とする。
【課題を解決するための手段】
【０００７】
上述した課題を解決するために、一実施形態に係るＩＰ再送信装置は、アンテナから受信した複数チャンネルのデジタル放送信号を、ＩＰマルチキャスト網を介して複数の受信機へ再送信するＩＰ再送信システムにおいて用いられるＩＰ再送信装置であって、デジタル放送信号からＳＩ情報を取り出して、ヘッダ情報の一部にＳＩ識別値が付与されたパケットにＳＩ情報を格納し、該パケットを放送ストリームとともに、或いは放送ストリームとは別にＩＰマルチキャスト網へ送出する。
【０００８】
同様に、一実施形態に係るＩＰ再送信方法は、アンテナから受信した複数チャンネルのデジタル放送信号を、ＩＰマルチキャスト網を介して複数の受信機へ再送信するＩＰ再送信方法であって、デジタル放送信号からＳＩ情報を取り出して、ヘッダ情報の一部にＳＩ識別値が付与されたパケットにＳＩ情報を格納し、該パケットを放送ストリームとともに、或いは放送ストリームとは別にＩＰマルチキャスト網へ送出する。
【０００９】
一実施形態に係るＳＩサーバは、アンテナから受信した複数チャンネルのデジタル放送信号を、ＩＰマルチキャスト網を介して複数の受信機へ再送信するＩＰ再送信システムにおいて用いられるＳＩサーバであって、デジタル放送信号から取り出されたＳＩ情報を格納するとともにヘッダ情報の一部にＳＩ識別値が付与された複数チャンネルのパケットを単一マルチキャスト化してＩＰマルチキャスト網へ送出する。
【００１０】
一実施形態に係るエッジルータは、アンテナから受信した複数チャンネルのデジタル放送信号を、ＩＰマルチキャスト網を介して複数の受信機へ再送信するＩＰ再送信装置とともに用いられるエッジルータであって、デジタル放送信号から取り出されたＳＩ情報を格納するとともにヘッダ情報の一部にＳＩ識別値が付与されたパケットをＩＰマルチキャスト網を介して受け取り、各受信機から要求されたチャンネルのパケットを各受信機へ送信する。
【００１１】
別の実施形態に係るエッジルータは、アンテナから受信した複数チャンネルのデジタル放送信号を、ＩＰマルチキャスト網を介して複数の受信機へ再送信するＩＰ再送信装置とともに用いられるエッジルータであって、デジタル放送信号から取り出されたＳＩ情報を格納するとともにヘッダ情報の一部にＳＩ識別値が付与された複数チャンネルのパケットを単一マルチキャスト化してなる集約ＳＩ情報をＩＰマルチキャスト網を介して受け取り、各受信機からの要求に応じて集約ＳＩ情報を各受信機へ送信する。
【００１２】
一実施形態に係る受信機は、アンテナから受信した複数チャンネルのデジタル放送信号を、ＩＰマルチキャスト網を介して複数の受信機へ再送信するＩＰ再送信システムにおいて用いられる受信機であって、デジタル放送信号から取り出されたＳＩ情報を格納するとともにヘッダ情報の一部にＳＩ識別値が付与されたパケットをＩＰマルチキャスト網を介して受け取り、ＳＩ識別値に基づいてパケットをＴＬＶパケットから抽出する。
【００１３】
別の実施形態に係る受信機は、アンテナから受信した複数チャンネルのデジタル放送信号を、ＩＰマルチキャスト網を介して複数の受信機へ再送信するＩＰ再送信システムにおいて用いられる受信機であって、デジタル放送信号から取り出されたＳＩ情報を格納するとともにヘッダ情報の一部にＳＩ識別値が付与された複数チャンネルのパケットを単一マルチキャスト化してなる集約ＳＩ情報をＩＰマルチキャスト網を介して受け取る。
【００１４】
一実施形態に係る送信設備は、アンテナから受信した複数チャンネルのデジタル放送信号を、ＩＰマルチキャスト網を介して複数の受信機へ再送信するＩＰ再送信システムにおいて用いられる送信設備であって、アンテナと、アンテナから複数チャンネルのデジタル放送信号を受信してＴＬＶパケットを作成する受信装置と、ＴＬＶパケットからＳＩ情報を取り出して、ヘッダ情報の一部にＳＩ識別値が付与されたパケットにＳＩ情報を格納し、該パケットを放送ストリームとともに、或いは放送ストリームとは別にＩＰマルチキャスト網へ送出するＩＰ再送信装置と、を備える。また、別の実施形態に係る送信設備は、アンテナから受信した複数チャンネルのデジタル放送信号を、ＩＰマルチキャスト網を介して複数の受信機へ再送信するＩＰ再送信システムにおいて用いられる送信設備であって、アンテナと、アンテナから複数チャンネルのデジタル放送信号を受信してＴＬＶパケットを作成する受信装置と、ＴＬＶパケットからＳＩ情報を取り出して、ヘッダ情報の一部にＳＩ識別値が付与されたパケットにＳＩ情報を格納するＩＰ再送信装置と、複数チャンネルのパケットを単一マルチキャスト化してＩＰマルチキャスト網へ送出するＳＩサーバと、を備える。
【発明の効果】
【００１５】
本発明によるＩＰ再送信装置、ＳＩサーバ、エッジルータ、受信機、ＩＰ再送信方法、および送信設備によれば、各受信機が複数チャンネルのＳＩ情報を効率的に取得できる。
【図面の簡単な説明】
【００１６】
【図１】図１は、一実施形態に係るＩＰ再送信システム１の構成を概略的に示す図である。
【図２】図２は、分割ＴＬＶパケット及びＩＰパケットのデータ構造を示す図である。
【図３】図３は、ＩＰ再送信システム１において受信機５が視聴するまでのシーケンスを示す図である。
【図４】図４は、ＳＩ専用ＩＰパケットを受信機５が取得するまでのシーケンスを示す図である。
【図５】図５は、ＳＩ専用ＩＰパケットを受信機５が取得する方式を概念的に示す図である。
【図６】図６は、一実施形態に係るＩＰ再送信システム１によって実現されるＩＰ再送信方法を示すフローチャートである。
【図７】図７は、一実施形態に係るＩＰ再送信システム１によって実現されるＩＰ再送信方法を示すフローチャートである。
【図８】図８は、改良シーケンスを示す図である。
【図９】図９は、別の改良シーケンスを示す図である。
【図１０】図１０は、図９に示されたシーケンスを実現するためのＳＩサーバの内部構成を示す図である。
【発明を実施するための形態】
【００１７】
［本発明の実施形態の説明］
最初に、本発明の実施形態の内容を列記して説明する。一実施形態に係るＩＰ再送信装置は、アンテナから受信した複数チャンネルのデジタル放送信号を、ＩＰマルチキャスト網を介して複数の受信機へ再送信するＩＰ再送信システムにおいて用いられるＩＰ再送信装置であって、デジタル放送信号からＳＩ情報を取り出して、ヘッダ情報の一部にＳＩ識別値が付与されたパケットにＳＩ情報を格納し、該パケットを放送ストリームとともに、或いは放送ストリームとは別にＩＰマルチキャスト網へ送出する。
【００１８】
同様に、一実施形態に係るＩＰ再送信方法は、アンテナから受信した複数チャンネルのデジタル放送信号を、ＩＰマルチキャスト網を介して複数の受信機へ再送信するＩＰ再送信方法であって、デジタル放送信号からＳＩ情報を取り出して、ヘッダ情報の一部にＳＩ識別値が付与されたパケットにＳＩ情報を格納し、該パケットを放送ストリームとともに、或いは放送ストリームとは別にＩＰマルチキャスト網へ送出する。
【００１９】
これらのＩＰ再送信装置及びＩＰ再送信方法では、デジタル放送信号からＳＩ情報を取り出して、ヘッダ情報の一部にＳＩ識別値が付与されたパケットにＳＩ情報を格納する。ヘッダ情報の一部は、例えばパケットＩＤである。そして、このパケットは、放送ストリームとともにＩＰマルチキャスト網へ送出される。或いは、このパケットは、放送ストリームとは別にＩＰマルチキャスト網へ送出される。これにより、各受信機において、ＳＩ情報が含まれるパケットを放送ストリームと区別して容易に選択・抽出することができる。従って、各受信機が複数チャンネルのＳＩ情報を効率的に取得でき、各受信機の処理負担を軽減できる。
【００２０】
一実施形態に係るＳＩサーバは、アンテナから受信した複数チャンネルのデジタル放送信号を、ＩＰマルチキャスト網を介して複数の受信機へ再送信するＩＰ再送信システムにおいて用いられるＳＩサーバであって、デジタル放送信号から取り出されたＳＩ情報を格納するとともにヘッダ情報の一部にＳＩ識別値が付与された複数チャンネルのパケットを単一マルチキャスト化してＩＰマルチキャスト網へ送出する。このＳＩサーバによれば、各受信機において、ＳＩ情報が含まれるパケットを放送ストリームと区別して容易に選択・抽出することができる。従って、各受信機が複数チャンネルのＳＩ情報を効率的に取得でき、各受信機の処理負担を軽減できる。また、ＳＩ識別値が付与された複数チャンネルのパケットを単一マルチキャスト化することで、エッジルータと受信機との間の通信データ量を低減できるとともに、エッジルータに対する各受信機からのアクセス要求（ｊｏｉｎ要求）の回数を減らし、エッジルータの処理負担を軽減できる。
【００２１】
一実施形態に係るエッジルータは、アンテナから受信した複数チャンネルのデジタル放送信号を、ＩＰマルチキャスト網を介して複数の受信機へ再送信するＩＰ再送信装置とともに用いられるエッジルータであって、デジタル放送信号から取り出されたＳＩ情報を格納するとともにヘッダ情報の一部にＳＩ識別値が付与されたパケットをＩＰマルチキャスト網を介して受け取り、各受信機から要求されたチャンネルのパケットを各受信機へ送信する。また、別の実施形態に係るエッジルータは、アンテナから受信した複数チャンネルのデジタル放送信号を、ＩＰマルチキャスト網を介して複数の受信機へ再送信するＩＰ再送信装置とともに用いられるエッジルータであって、デジタル放送信号から取り出されたＳＩ情報を格納するとともにヘッダ情報の一部にＳＩ識別値が付与された複数チャンネルのパケットを単一マルチキャスト化してなる集約ＳＩ情報をＩＰマルチキャスト網を介して受け取り、各受信機からの要求に応じて集約ＳＩ情報を各受信機へ送信する。これらのエッジルータによれば、各受信機において、ＳＩ情報が含まれるパケットを放送ストリームと区別して容易に選択・抽出することができる。従って、各受信機が複数チャンネルのＳＩ情報を効率的に取得でき、各受信機の処理負担を軽減できる。また、ＳＩ識別値が付与された複数チャンネルのパケットを単一マルチキャスト化する場合、エッジルータと受信機との間の通信データ量を低減できるとともに、エッジルータに対する各受信機からのアクセス要求（ｊｏｉｎ要求）の回数を減らし、エッジルータの処理負担を軽減できる。
【００２２】
一実施形態に係る受信機は、アンテナから受信した複数チャンネルのデジタル放送信号を、ＩＰマルチキャスト網を介して複数の受信機へ再送信するＩＰ再送信システムにおいて用いられる受信機であって、デジタル放送信号から取り出されたＳＩ情報を格納するとともにヘッダ情報の一部にＳＩ識別値が付与されたパケットをＩＰマルチキャスト網を介して受け取り、ＳＩ識別値に基づいてパケットをＴＬＶパケットから抽出する。また、別の実施形態に係る受信機は、アンテナから受信した複数チャンネルのデジタル放送信号を、ＩＰマルチキャスト網を介して複数の受信機へ再送信するＩＰ再送信システムにおいて用いられる受信機であって、デジタル放送信号から取り出されたＳＩ情報を格納するとともにヘッダ情報の一部にＳＩ識別値が付与された複数チャンネルのパケットを単一マルチキャスト化してなる集約ＳＩ情報をＩＰマルチキャスト網を介して受け取る。これらの受信機によれば、ＳＩ情報が含まれるパケットを放送ストリームと区別して容易に選択・抽出することができる。従って、各受信機が複数チャンネルのＳＩ情報を効率的に取得でき、各受信機の処理負担を軽減できる。また、ＳＩ識別値が付与された複数チャンネルのパケットを単一マルチキャスト化する場合、エッジルータと受信機との間の通信データ量を低減できるとともに、エッジルータに対する各受信機からのアクセス要求（ｊｏｉｎ要求）の回数を減らし、エッジルータの処理負担を軽減できる。
【００２３】
一実施形態に係る送信設備は、アンテナから受信した複数チャンネルのデジタル放送信号を、ＩＰマルチキャスト網を介して複数の受信機へ再送信するＩＰ再送信システムにおいて用いられる送信設備であって、アンテナと、アンテナから複数チャンネルのデジタル放送信号を受信してＴＬＶパケットを作成する受信装置と、ＴＬＶパケットからＳＩ情報を取り出して、ヘッダ情報の一部にＳＩ識別値が付与されたパケットにＳＩ情報を格納し、該パケットを放送ストリームとともに、或いは放送ストリームとは別にＩＰマルチキャスト網へ送出するＩＰ再送信装置と、を備える。また、別の実施形態に係る送信設備は、アンテナから受信した複数チャンネルのデジタル放送信号を、ＩＰマルチキャスト網を介して複数の受信機へ再送信するＩＰ再送信システムにおいて用いられる送信設備であって、アンテナと、アンテナから複数チャンネルのデジタル放送信号を受信してＴＬＶパケットを作成する受信装置と、ＴＬＶパケットからＳＩ情報を取り出して、ヘッダ情報の一部にＳＩ識別値が付与されたパケットにＳＩ情報を格納するＩＰ再送信装置と、複数チャンネルのパケットを単一マルチキャスト化してＩＰマルチキャスト網へ送出するＳＩサーバと、を備える。これらの送信設備によれば、各受信機において、ＳＩ情報が含まれるパケットを放送ストリームと区別して容易に選択・抽出することができる。従って、各受信機が複数チャンネルのＳＩ情報を効率的に取得でき、各受信機の処理負担を軽減できる。また、ＳＩ識別値が付与された複数チャンネルのパケットを単一マルチキャスト化することで、エッジルータと受信機との間の通信データ量を低減できるとともに、エッジルータに対する各受信機からのアクセス要求（ｊｏｉｎ要求）の回数を減らし、エッジルータの処理負担を軽減できる。
【００２４】
［本発明の実施形態の詳細］
本発明の実施形態に係るＩＰ再送信装置、ＳＩサーバ、エッジルータ、受信機、ＩＰ再送信方法、および送信設備の具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。
【００２５】
図１は、一実施形態に係るＩＰ再送信システム１の構成を概略的に示す図である。図１に示されるように、本実施形態のＩＰ再送信システム１は、送信設備２と、ＩＰマルチキャスト網３と、エッジルータ４と、複数の受信機５とを備えている。送信設備２は、ＩＰ再送信サービス事業者が有する設備であり、アンテナ６と通信線を介して接続される。アンテナ６は、例えば高度広帯域衛星デジタル放送（高度ＢＳデジタル放送）、若しくは地上デジタル放送といったデジタル放送波を受信する。アンテナ６が受信するデジタル放送波は、Ｎチャンネル（Ｎは２以上の整数）分のデジタル放送信号を含む。各チャンネルのデジタル放送信号は、映像情報や音声情報に加えて、例えば電子番組ガイド（ＥＰＧ）などのＳＩ情報を含む。
【００２６】
送信設備２は、Ｎ個の受信装置２１と、Ｎ個のＩＰ再送信装置２２と、ＳＩサーバ２３と、多重化ルータ２４とを有する。Ｎ個の受信装置２１は、通信線を介してアンテナ６と接続されている。各受信装置２１は、自己に割り当てられたチャンネルのデジタル放送信号をアンテナ６から受け、放送データ（映像情報及び音声情報）を含むＴＬＶ（Type Length Value）パケットを生成して出力する。ＴＬＶパケットは、ヘッダ及びペイロードを含むパケットであり、ペイロードの長さは可変である。ヘッダには、チャンネル情報の他、ペイロードの長さを示す情報が含まれる。ペイロードには、放送データ、ＳＩ情報等が格納される。
【００２７】
Ｎ個のＩＰ再送信装置２２それぞれは、Ｎ個の受信装置２１それぞれと配線を介して接続されている。各ＩＰ再送信装置２２は、対応する受信装置２１からＴＬＶパケットを受け、該ＴＬＶパケットをＩＰＴＶ信号方式（分割ＴＬＶ化、タイムスタンプ付与、ＩＰｖ６マルチキャスト）に変換する。具体的には、まず、各ＩＰ再送信装置２２は、受信装置２１から出力されるＴＬＶパケットからヌルパケットを削除する。ヌルパケットとは、ペイロードの中身が無いＴＬＶパケットである。次に、各ＩＰ再送信装置２２は、ＴＬＶパケットのペイロードに含まれる放送データ、ＳＩ情報等を分割もしくは結合することにより、放送データ、ＳＩ情報等を固定長の分割ＴＬＶパケットに格納する。分割ＴＬＶパケットは、例えばＭＰＥＧ２−ＴＳ形式であり、ＴＳ（Transport Stream）パケットとも称される。分割ＴＬＶパケットの大きさは例えば１８８バイトである。なお、分割ＴＬＶパケットの具体的な構成は、ＪＣＴＥＡ  ＳＴＤ−００２−６．０  第一編第五部に記載されている。次に、各ＩＰ再送信装置２２は、分割ＴＬＶパケットのそれぞれに時刻情報（タイムスタンプ）を付与することにより、分割ＴＬＶパケットをＴＴＳ（Timestamped Transport Stream）化する。
【００２８】
各ＩＰ再送信装置２２は、ＴＴＳ化した分割ＴＬＶパケットを放送ストリームとしてＩＰマルチキャスト網３へ送信する。本実施形態の各ＩＰ再送信装置２２は、ＴＴＳ化された複数の分割ＴＬＶパケットを一つのＩＰパケットのペイロードに格納する。一つのＩＰパケットに格納される分割ＴＬＶパケットの数は予め定められており、例えば７個である。各ＩＰ再送信装置２２は、多重化ルータ２４を介してＩＰパケットを放送ストリームとしてＩＰマルチキャスト網３へ送信する。なお、多重化ルータ２４が設けられない場合には、各ＩＰ再送信装置２２がＩＰパケットをＩＰマルチキャスト網３へ直接送信してもよい。多重化ルータ２４は、複数のＩＰパケットの多重化を行う。
【００２９】
図２は、分割ＴＬＶパケット及びＩＰパケットのデータ構造を示す図である。図２に示されるように、一つのＩＰパケット３０は、ヘッダ部３１と、ヘッダ部３１に続くペイロード部３２とからなる。ヘッダ部３１には、ＩＰヘッダ３１ａ、ＵＤＰ（User Datagram Protocol）ヘッダ３１ｂ、及びＲＴＰ（Real-time Transport Protocol）ヘッダ３１ｃが含まれる。ペイロード部３２には、所定数の分割ＴＬＶパケット３３が含まれる。各タイムスタンプ３４は、対応する分割ＴＬＶパケット３３の先頭に付与される。タイムスタンプ３４の大きさは例えば４バイトである。分割ＴＬＶパケット３３の大きさが１８８バイトである場合、タイムスタンプ３４と分割ＴＬＶパケット３３とを合わせたＴＴＳ化パケットの大きさは１９２バイトとなる。通常、イーサネット（登録商標）の最大パケットサイズ（ＭＴＵ）は１５００バイトなので、図２に示されるように７個のＴＴＳ化パケットをペイロード部３２に格納し、ＩＰパケット３０をＩＰｖ６マルチキャスト信号として送出する。
【００３０】
各分割ＴＬＶパケット３３は、ヘッダ部３５と、ヘッダ部３５に続くペイロード部３６とからなる。ヘッダ部３５の大きさは例えば３バイトである。一例では、ヘッダ部３５には、同期バイト３５ａ（８ビット）、トランスポートエラーインジケータ３５ｂ（１ビット）、ＴＬＶパケット開始インジケータ３５ｃ（１ビット）、「０」ビット３５ｄ（１ビット）、及びパケットＩＤ３５ｅ（１３ビット）が含まれる。ペイロード部３６には、１８５×８ビットの放送データまたはＳＩ情報が含まれる。
【００３１】
また、各ＩＰ再送信装置２２は、受信装置２１から受け取ったＴＬＶパケットから所定のＳＩ情報（例えばＥＰＧ）のみを取り出して、上述した分割ＴＬＶパケットとは別のパケットにＳＩ情報を格納する。以下、このパケットをＳＩ情報パケットと称する。各ＩＰ再送信装置２２は、このパケットのヘッダ情報の一部にＳＩ識別値を付与して、分割ＴＬＶパケット３３と区別し、ＳＩ専用マルチキャストとする。そして、各ＩＰ再送信装置２２は、このパケットを、放送ストリーム（分割ＴＬＶパケット３３）とともにＩＰマルチキャスト網３へ送出する。或いは、各ＩＰ再送信装置２２は、このパケットを、放送ストリーム（分割ＴＬＶパケット３３）とは別にＩＰマルチキャスト網３へ送出してもよい。一例では、このパケットの形式は分割ＴＬＶパケット３３と同じである。そして、所定のＳＩ情報はペイロード部３６に格納される。ＳＩ識別値を付与するヘッダ情報としては、例えばパケットＩＤ３５ｅが用いられる。例えばＣＡＴＶでは、パケットＩＤ３５ｅの値は、分割ＴＬＶパケットであることを示す「０ｘ００２Ｄ」とされる（「“日本ＣＡＴＶ技術協会標準規格ＪＣＴＥＡ  ＳＴＤ−００２−６．１  デジタル有線放送  多重化装置  第一編  第五分部６．１  分割ＴＬＶパケット”を参照）。この「０ｘ００２Ｄ」とは異なるＳＩ識別値をパケットＩＤ３５ｅに付与することによって、ＳＩ情報パケットと分割ＴＬＶパケット３３とを容易に区別することができる。なお、ＳＩ識別値は、各チャンネル毎に異なってもよい。その場合、どのチャンネルのＳＩ情報かをヘッダ情報に基づいて容易に判別することができる。
【００３２】
所定のＳＩ情報の具体例としては、例えばＴＬＶネットワーク情報テーブル（ａｃｔｕａｌテーブル）、ＭＨイベント情報テーブル（ｐ／ｆ  ａｃｔｕａｌテーブル）、ＭＨイベント情報テーブル（ｓｃｈｅｄｕｌｅ  ａｃｔｕａｌテーブル）、ＭＨブロードキャスト情報テーブル、ＭＨサービス記述テーブル（ａｃｔｕａｌテーブル）などを挙げることができる。
【００３３】
ＳＩサーバ２３は、複数チャンネルのＳＩ情報パケットを多重化して、単一のマルチキャストにて伝送する。具体的には、ＳＩサーバ２３は、各チャンネルのＳＩ情報パケットをＮ個のＩＰ再送信装置２２それぞれから受け取る。このとき、ＳＩサーバ２３は、ＳＩ識別値に基づくフィルタ操作によって、各ＩＰ再送信装置２２から出力される分割ＴＬＶパケット３３の中からＳＩ情報パケットを選択・抽出してもよい。ＳＩサーバ２３は、こうして各ＩＰ再送信装置２２から受け取った少なくともＮ個のＳＩ情報パケットを集約して保持する。ＳＩサーバ２３は、複数チャンネルのＳＩ情報パケットをまとめて一又は複数のＳＩ専用ＩＰパケットに格納する。なお、ＳＩ専用ＩＰパケットの形式は、図２に示されたＩＰパケット３０と同じである。ＳＩサーバ２３は、ＳＩ専用ＩＰパケットを単一のマルチキャストフローにてＩＰマルチキャスト網３へ送出する。
【００３４】
エッジルータ４は、ＩＰマルチキャスト網３と複数の受信機５との間に介在する。エッジルータ４は、全ての分割ＴＬＶパケット及びＳＩ情報パケットをＩＰマルチキャスト網３を介して受け取る。エッジルータ４は、各受信機５からのｊｏｉｎ要求に含まれるマルチキャストアドレスに対応するチャンネルの放送ストリーム、若しくは各受信機５からのｊｏｉｎ要求に含まれるマルチキャストアドレスに対応するチャンネルのＳＩ情報パケット（ＳＩサーバ２３によってＳＩ情報が集約されている場合には、ＳＩ専用ＩＰパケット）を通過させて、当該受信機５へ送る。
【００３５】
受信機５は、エッジルータ４を介してＩＰマルチキャスト網３に接続される。受信機５は、ＩＰマルチキャスト網３から受け取る放送ストリーム（分割ＴＬＶパケット）の中から、ＳＩ情報パケットをＳＩ識別値に基づいて選択・抽出（フィルタリング）する。或いは、受信機５は、ＩＰマルチキャスト網３からＳＩ専用ＩＰパケットを受け取り、所望のチャンネルのＳＩ情報を、チャンネル毎に設定されたＳＩ識別値に基づいて選択・抽出（フィルタリング）する。
【００３６】
図３は、ＩＰ再送信システム１において受信機５が視聴するまでのシーケンスを示す。同図において、Ａ，Ｂ，・・・，Ｘはチャンネル番号である。各チャンネルのデジタル放送信号は、エッジルータ４に送られる（図中の矢印Ａａ〜Ａｘ）。受信機５は、エッジルータ４からＤＮＳのＩＰアドレスを取得し、ＤＮＳから選局制御情報サーバのアドレスを取得したのち、選局制御情報サーバから全てのチャンネルの選局制御情報を取得し保持する。その後、受信機は、視聴しようとするチャンネルに対応するマルチキャストアドレスに対して結合（ｊｏｉｎ）要求を行い、当該チャンネルのデジタル放送信号をエッジルータから受け取って視聴する（図中の矢印Ｂａ）。視聴をやめる際には、受信機は、当該チャンネルに対応するマルチキャストアドレスに対して解放（ｌｅａｖｅ）要求を行う。
【００３７】
図４は、ＳＩ専用ＩＰパケットを受信機５が取得するまでのシーケンスを示す。また、図５は、ＳＩ専用ＩＰパケットを受信機５が取得する方式を概念的に示す。図４及び図５に示されるように、ＳＩサーバ２３によってＳＩ情報が集約される場合には、ＳＩサーバ２３が、デジタル放送信号を格納した分割ＴＬＶパケット（矢印Ａａ〜Ａｘ）からＳＩ情報パケット（図５の矢印Ｄａ〜Ｄｘ）をＳＩ識別値に基づいて選択・抽出（フィルタリング）する。ＳＩサーバ２３は、これらのＳＩ情報パケットをＳＩ専用ＩＰパケット（矢印Ｄ）として単一マルチキャストにてエッジルータ４に送る。上述したように、エッジルータ４は、当該マルチキャストに対する各受信機５からのｊｏｉｎ要求に応じて、ＳＩ専用ＩＰパケットを各受信機５へ送る。
【００３８】
図５に示されるように、受信機５において、ＳＩ専用マルチキャスト（すなわちＳＩ専用ＩＰパケット）の選局は、選局制御情報サーバ４１から選局制御情報を取得することにより行われる。受信機５は、パケットに含まれるＳＩ識別値を次のいずれかの方法により判別し、各チャンネルのＳＩ情報パケットを抽出する。第１の方法は、選局制御情報の中から、各チャンネルのＳＩ識別値を指定する方法である。第２の方法は、予め各チャンネルのＳＩ識別値を受信機５に登録する方法である。
【００３９】
図６及び図７は、本実施形態のＩＰ再送信システム１によって実現されるＩＰ再送信方法を示すフローチャートである。図６は、ＳＩ情報パケットをチャンネル毎にＳＩ専用ＩＰパケットに格納する場合を示す。図７は、ＳＩ情報パケットをチャンネルに関係なくＩＰパケットに格納する場合を示す。図６及び図７を参照すると、まず、ステップＳ１において、各チャンネルの放送ストリームに含まれるデジタル放送信号のＴＬＶパケットから所定のＳＩ情報を取り出す。次に、ステップＳ２において、ヘッダ情報の一部（例えばパケットＩＤ）にＳＩ識別値が付与されたＳＩ情報パケットにＳＩ情報を格納し、ＳＩ専用マルチキャストとする。ＳＩ識別値はチャンネル毎に異なってもよい。そして、図６に示される例では、ＳＩ情報パケットをＳＩ識別値毎に（すなわちチャンネル毎に）ＳＩ専用ＩＰパケットに格納する（ステップＳ３Ａ）。また、図７に示される例では、ＳＩ情報パケットをチャンネルに関係なくＳＩ専用ＩＰパケットに格納する（ステップＳ３Ｂ）。その後、ＳＩ専用ＩＰパケットを単一マルチキャストとして、放送ストリーム（分割ＴＬＶパケット）とともにＩＰマルチキャスト網３へ送出する。或いは、ＳＩ情報パケットを単一マルチキャストとして、放送ストリーム（分割ＴＬＶパケット）とは別にＩＰマルチキャスト網３へ送出する（ステップＳ４）。
【００４０】
以上に説明した本実施形態のＩＰ再送信システム１、ＩＰ再送信装置２２、受信機５およびＩＰ再送信方法によって得られる効果について、従来のＩＰ再送信システムが抱える課題と共に説明する。受信機においては、或るチャンネルを視聴しながら、全てのチャンネルのＥＰＧを表示したり、裏番組の録画などを目的として最新ＥＰＧ情報を取得すること等のため、ＥＰＧなどのＳＩ情報を取得することが求められる。そのため、受信機は、或るチャンネル（例えばＡチャンネル）のデジタル放送信号を継続して取得しながら（図３の矢印Ｂａ）、他チャンネル（Ｂチャンネル、Ｃチャンネル、・・・、Ｘチャンネル）のＩＰ再送信ストリームを取得し、その中からＳＩ情報を取り出す（図３の矢印Ｂｂ〜Ｂｘ）。このような方式において、ＳＩ情報が各チャンネルの放送ストリームにしか存在しない場合には、エッジルータが保持する全チャンネルのＩＰ再送信ストリームに全受信機がアクセスすることとなる。従って、チャンネル数が多くなるとアクセス網が輻輳し、受信機及びエッジルータの負担が大きくなる。
【００４１】
図８は、上記の問題を解決するための改良シーケンスを示す。図８に示されるシーケンスでは、ＩＰ再送信装置とエッジルータとの間にＳＩサーバを設け、ＳＩサーバが全チャンネルのＩＰ再送信ストリームからＳＩ情報を抽出し、各チャンネルのＳＩ情報のＩＰフロー（宛先／送信元ＩＰアドレス、ポート番号）を変更してエッジルータへ伝送する。各受信機は、或るチャンネル（例えばＡチャンネル）のＩＰ再送信ストリームを継続して取得しながら（図中の矢印Ｂａ）、他チャンネル（Ｂチャンネル、Ｃチャンネル、・・・、Ｘチャンネル）のマルチキャストにアクセス（ｊｏｉｎ／ｌｅａｖｅ）してＳＩ情報を取得する（図中の矢印Ｃｂ〜Ｃｘ）。しかしながらこの方法では、全チャンネルのＳＩ情報を収集するためにチャンネル毎にアクセスを繰り返す必要があり、受信機の台数が多くなると、エッジルータの負担が大きくなってしまう。
【００４２】
また、図９は、上記の問題を解決するための別の改良シーケンスを示す。図９に示されるシーケンスでは、ＩＰ再送信装置とエッジルータとの間に設けられるＳＩサーバが全チャンネルのＳＩ情報を一つに纏め、ＳＩ専用マルチキャストとしてエッジルータへ伝送する。受信機は、必要に応じてＳＩ専用マルチキャストにアクセスする。このようなシーケンスによれば、エッジルータの全チャンネルのＩＰ再送信ストリームに受信機がアクセスしなくても、必要なＳＩ情報を効率的に取得することができる。従って、エッジルータの負担が軽減される。しかしながら、このシーケンスにおいても次のような問題がある。図１０は、図９に示されたシーケンスを実現するためのＳＩサーバの内部構成を示す。このＳＩサーバ１００は、ＳＩ情報収集部１０１と、ＳＩ情報全局化処理部１０２と、ＳＩ情報再送出部１０３とを有する。ＳＩ情報収集部１０１は、全チャンネルのＩＰ再送信ストリームからＳＩ情報を抽出して保持する。ＳＩ情報全局化処理部１０２は、ＳＩ情報収集部１０１から全チャンネルのＳＩ情報を受け取り、全チャンネルのＳＩ情報をＳＩ専用パケットとして纏める。ＳＩ情報再送出部１０３は、ＳＩ情報全局化処理部１０２からＳＩ専用パケットを受け取り、ＳＩ専用マルチキャストとしてＩＰマルチキャスト網を介してエッジルータへ伝送する。
【００４３】
ＳＩ情報はデータサイズが大きいので複数のパケットに分割して送られるが、放送規格に準拠すると各チャンネルのパケットを単純に混ぜ合わせることができない。したがって、図９に示されるシーケンスでは、図１０に示されるように、すべてのチャンネルのＳＩ情報を集めて全局化処理（全ての局のチャンネル情報を纏めて、再構築する処理）を行った後で、パケット化して再送出する必要が生じる。しかしながら、例えばＥＰＧ情報は数十秒周期で送信されているので、全チャンネルのＥＰＧ情報を取得するのに時間を要し、全局化処理が遅延するおそれがある。これにより、受信機において最新ＥＰＧ情報の表示が遅くなり番組予約に支障をきたす可能性があるので、実用的にはこのシーケンスを用いることは難しい。
【００４４】
上記の問題点に鑑み、本実施形態のＩＰ再送信装置２２では、デジタル放送信号（ＴＬＶパケット）からＳＩ情報を取り出して、ヘッダ情報の一部にＳＩ識別値が付与されたパケットにＳＩ情報を格納する。そして、このパケットは、放送ストリームとともにＩＰマルチキャスト網３へ送出される。或いは、このパケットは、放送ストリームとは別にＩＰマルチキャスト網３へ送出されてもよい。これにより、各受信機５は、所定のＳＩ情報が含まれるパケットを放送ストリームから容易に選択・抽出することができる。従って、各受信機５が全チャンネルのＳＩ情報を効率的に取得できる。また、これにより、ＳＩ情報の取得に要する時間を短縮して、ＳＩ情報を取得するタイミングの、放送ストリーム（映像、音声）に対する遅延を低減することができる。なお、所定のＳＩ情報が含まれるパケット（ＳＩ専用マルチキャスト）は補助的な信号であって放送ストリームの伝送ではないこと、及び、本システムにおいて伝送されるパケットが分割ＴＬＶパケットのみであることから、パケットＩＤを用いた、分割ＴＬＶパケットであることの識別は不要である。従って、本実施形態のようにパケットＩＤにＳＩ識別値を設定し、またチャンネル毎にＳＩ識別値を異ならせても何ら問題はない。
【００４５】
また、本実施形態のＳＩサーバ２３は、デジタル放送信号（ＴＬＶパケット）から取り出されたＳＩ情報を格納するとともにヘッダ情報の一部にＳＩ識別値が付与された複数チャンネルのパケットを単一マルチキャスト化してＩＰマルチキャスト網３へ送出する。このＳＩサーバ２３によれば、各受信機５において、ＳＩ情報が含まれるパケットを放送ストリームと区別して容易に選択・抽出することができる。従って、各受信機５が全チャンネルのＳＩ情報を効率的に取得できる。また、ＳＩ識別値が付与された複数チャンネルのパケットを単一マルチキャスト化することで、エッジルータ４と受信機５との間の通信データ量を低減できるとともに、エッジルータ４に対する各受信機５からのアクセス要求（ｊｏｉｎ要求）の回数を減らし、エッジルータ４の処理負担を軽減できる。
【００４６】
また、本実施形態のエッジルータ４は、デジタル放送信号（ＴＬＶパケット）から取り出されたＳＩ情報を格納するとともにヘッダ情報の一部にＳＩ識別値が付与されたパケットをＩＰマルチキャスト網３を介して受け取り、各受信機５から要求されたチャンネルのパケットを各受信機５へ送信する。或いは、エッジルータ４は、デジタル放送信号（ＴＬＶパケット）から取り出されたＳＩ情報を格納するとともにヘッダ情報の一部にＳＩ識別値が付与された複数チャンネルのパケットを単一マルチキャスト化してなる集約ＳＩ情報をＩＰマルチキャスト網３を介して受け取り、各受信機５からの要求に応じて集約ＳＩ情報を各受信機５へ送信する。エッジルータ４によれば、各受信機５において、ＳＩ情報が含まれるパケットをＴＬＶパケットと区別して容易に選択・抽出することができる。従って、各受信機５が全チャンネルのＳＩ情報を効率的に取得できる。また、ＳＩ識別値が付与された複数チャンネルのパケットを単一マルチキャスト化する場合、エッジルータ４と受信機５との間の通信データ量を低減できるとともに、エッジルータ４に対する各受信機５からのアクセス要求（ｊｏｉｎ要求）の回数を減らし、エッジルータ４の処理負担を軽減できる。
【００４７】
また、本実施形態の受信機５は、デジタル放送信号（ＴＬＶパケット）から取り出されたＳＩ情報を格納するとともにヘッダ情報の一部にＳＩ識別値が付与されたパケットをＩＰマルチキャスト網３を介して受け取り、ＳＩ識別値に基づいてパケットを放送ストリームから抽出する。或いは、受信機５は、デジタル放送信号（ＴＬＶパケット）から取り出されたＳＩ情報を格納するとともにヘッダ情報の一部にＳＩ識別値が付与された複数チャンネルのパケットを単一マルチキャスト化してなる集約ＳＩ情報をＩＰマルチキャスト網３を介して受け取る。この受信機５によれば、ＳＩ情報が含まれるパケットを放送ストリームと区別して容易に選択・抽出することができる。従って、各受信機５が全チャンネルのＳＩ情報を効率的に取得できる。また、ＳＩ識別値が付与された複数チャンネルのパケットを単一マルチキャスト化する場合、エッジルータ４と受信機５との間の通信データ量を低減できるとともに、エッジルータ４に対する各受信機５からのアクセス要求（ｊｏｉｎ要求）の回数を減らし、エッジルータ４の処理負担を軽減できる。
【００４８】
また、本実施形態の送信設備２は、アンテナ６と、アンテナ６から複数チャンネルのデジタル放送信号を受信してＴＬＶパケットを作成する受信装置２１と、ＴＬＶパケットからＳＩ情報を取り出して、ヘッダ情報の一部にＳＩ識別値が付与されたパケットにＳＩ情報を格納し、該パケットを放送ストリームとともにＩＰマルチキャスト網３へ送出するＩＰ再送信装置２２と、を備える。或いは、送信設備２は、アンテナ６と、アンテナ６から複数チャンネルのデジタル放送信号を受信してＴＬＶパケットを作成する受信装置２１と、ＴＬＶパケットからＳＩ情報を取り出して、ヘッダ情報の一部にＳＩ識別値が付与されたパケットにＳＩ情報を格納するＩＰ再送信装置２２と、複数チャンネルのパケットを単一マルチキャスト化してＩＰマルチキャスト網３へ送出するＳＩサーバ２３と、を備える。この送信設備２によれば、各受信機５において、ＳＩ情報が含まれるパケットを放送ストリームと区別して容易に選択・抽出することができる。従って、各受信機５が全チャンネルのＳＩ情報を効率的に取得できる。また、ＳＩ識別値が付与された複数チャンネルのパケットを単一マルチキャスト化する場合、エッジルータ４と受信機５との間の通信データ量を低減できるとともに、エッジルータ４に対する各受信機５からのアクセス要求（ｊｏｉｎ要求）の回数を減らし、エッジルータ４の処理負担を軽減できる。
【００４９】
本発明によるＩＰ再送信装置、ＳＩサーバ、エッジルータ、受信機、ＩＰ再送信方法、および送信設備は、上述した実施形態に限られるものではなく、他に様々な変形が可能である。例えば、上述した実施形態ではＳＩ識別値を付与するヘッダ情報としてパケットＩＤを用いているが、他のヘッダ情報にＳＩ識別値を付与してもよい。また、上述した実施形態では所定のＳＩ情報の例としてＥＰＧ情報を例示しているが、本発明においてＳＩ識別値が付与される分割ＴＬＶパケットに格納される所定のＳＩ情報は、ＥＰＧ情報に限られない。また、上述した実施形態ではＳＩ専用マルチキャストに分割ＴＬＶパケットと同型式のパケットを用いているが、ＳＩ専用マルチキャストに用いられるパケットの形式は分割ＴＬＶパケットと異なってもよい。
【符号の説明】
【００５０】
１…ＩＰ再送信システム、２…送信設備、３…ＩＰマルチキャスト網、４…エッジルータ、５…受信機、６…アンテナ、２１…受信装置、２２…ＩＰ再送信装置、２３…ＳＩサーバ、２４…多重化ルータ、３０…ＩＰパケット、３１…ヘッダ部、３１ａ…ＩＰヘッダ、３１ｂ…ＵＤＰヘッダ、３１ｃ…ＲＴＰヘッダ、３２…ペイロード部、３３…分割ＴＬＶパケット、３４…タイムスタンプ、３５…ヘッダ部、３５ａ…同期バイト、３５ｂ…トランスポートエラーインジケータ、３５ｃ…ＴＬＶパケット開始インジケータ、３５ｄ…「０」ビット、３５ｅ…パケットＩＤ、３６…ペイロード部、４１…選局制御情報サーバ。
【図１】
2020010199.tif 000003
【図２】
2020010199.tif 000004
【図３】
2020010199.tif 000005
【図４】
2020010199.tif 000006
【図５】
2020010199.tif 000007
【図６】
2020010199.tif 000008
【図７】
2020010199.tif 000009
【図８】
2020010199.tif 000010
【図９】
2020010199.tif 000011
【図１０】
2020010199.tif 000012